(57)【要約】【課題】リレーノードが無線基地局によって送信された報知情報を確実に受信する。【解決手段】本発明に係る移動通信システムは、リレーノードＲＮは、Ｕｎインターフェイスにおける送受信用サブフレームとＵｕインターフェイスにおける送受信用サブフレームとを時分割するように構成されており、無線基地局ＤｅＮＢは、リレーノードＲＮに対して、個別シグナリングによって、配下のセルにおいて送信するＳＩを送信するように構成されている。【選択図】図４
2011217393.tif 000002
【特許請求の範囲】
【請求項１】
第１インターフェイスを介して無線基地局とリレーノードとが接続可能であり、第２インターフェイスを介して該リレーノードと移動局とが接続可能である移動通信システムであって、
前記リレーノードは、前記第１インターフェイスにおける送受信用期間と前記第２インターフェイスにおける送受信用期間とを時分割するように構成されており、
前記無線基地局は、前記リレーノードに対して、個別シグナリングによって、配下のセルにおいて送信する報知情報を送信するように構成されていることを特徴とする移動通信システム。
【請求項２】
第１インターフェイスを介して無線基地局とリレーノードとが接続可能であり、第２インターフェイスを介して該リレーノードと移動局とが接続可能である移動通信システムにおける該無線基地局であって、
配下のセルにおいて、報知情報を送信するように構成されている報知情報送信部と、
前記リレーノードに対して、個別シグナリングによって、前記報知情報を送信するように構成されている個別シグナリング部とを具備することを特徴とする無線基地局。
【請求項３】
第１インターフェイスを介して無線基地局とリレーノードとが接続可能であり、第２インターフェイスを介して該リレーノードと移動局とが接続可能である移動通信システムであって、
前記リレーノードは、前記第１インターフェイスにおける送受信用期間と前記第２インターフェイスにおける送受信用期間とを時分割するように構成されており、
前記無線基地局は、物理下り制御チャネルを介して移動局用識別情報及び第１スケジューリング信号を送信し、該第１スケジューリング信号によって指定された報知チャネルを介して報知情報を送信するように構成されており、
前記無線基地局は、前記物理下り制御チャネルを介してリレーノード用識別情報及び第２スケジューリング信号を送信し、該第２スケジューリング信号によって指定された報知チャネルを介して前記報知情報を送信するように構成されていることを特徴とする移動通信システム。
【請求項４】
第１インターフェイスを介して無線基地局とリレーノードとが接続可能であり、第２インターフェイスを介して該リレーノードと移動局とが接続可能である移動通信システムにおける該無線基地局であって、
物理下り制御チャネルを介して移動局用識別情報及び第１スケジューリング信号を送信し、該第１スケジューリング信号によって指定された報知チャネルを介して報知情報を送信するように構成されている移動局用報知情報送信部と、
前記物理下り制御チャネルを介してリレーノード用識別情報及び第２スケジューリング信号を送信し、該第２スケジューリング信号によって指定された報知チャネルを介して前記報知情報を送信するように構成されているリレーノード用報知情報送信部とを具備することを特徴とする無線基地局。
【請求項５】
第１インターフェイスを介して無線基地局とリレーノードとが接続可能であり、第２インターフェイスを介して該リレーノードと移動局とが接続可能である移動通信システムであって、
前記リレーノードは、前記第１インターフェイスにおける送受信用期間と前記第２インターフェイスにおける送受信用期間とを時分割するように構成されており、
前記無線基地局は、物理下り制御チャネルを介して第１スケジューリング信号を送信し、該第１スケジューリング信号によって指定された報知チャネルを介して報知情報を送信するように構成されており、
前記無線基地局は、リレーノード専用物理下り制御チャネルを介して第２スケジューリング信号を送信し、該第２スケジューリング信号によって指定された報知チャネルを介して前記報知情報を送信するように構成されていることを特徴とする移動通信システム。
【請求項６】
第１インターフェイスを介して無線基地局とリレーノードとが接続可能であり、第２インターフェイスを介して該リレーノードと移動局とが接続可能である移動通信システムにおける該無線基地局であって、
物理下り制御チャネルを介して第１スケジューリング信号を送信し、該第１スケジューリング信号によって指定された報知チャネルを介して報知情報を送信するように構成されている移動局用報知情報送信部と、
リレーノード専用物理下り制御チャネルを介して第２スケジューリング信号を送信し、該第２スケジューリング信号によって指定された報知チャネルを介して前記報知情報を送信するように構成されているリレーノード用報知情報送信部とを具備することを特徴とする無線基地局。
【発明の詳細な説明】
【技術分野】
【０００１】
本発明は、移動通信システム及び無線基地局に関する。
【背景技術】
【０００２】
３ＧＰＰで仕様化が進められているＬＴＥ（Ｌｏｎｇ  Ｔｅｒｍ  Ｅｖｏｌｕｔｉｏｎ）-Ａｄｖａｎｃｅｄ方式の移動通信システムでは、リレーノードＲＮを用いた「Ｌ３  Ｒｅｌａｙ（Ｔｙｐｅ  １  Ｒｅｌａｙ）」の適用が検討されている。
【先行技術文献】
【非特許文献】
【０００３】
【非特許文献１】３ＧＰＰ  ＴＳ３６.３２１  ｖ９.１.０
【非特許文献２】３ＧＰＰ  ＴＲ３６.８１４  ｖ１.５.０
【非特許文献３】３ＧＰＰ  ＴＲ３６.８０６  ｖ９.０.０
【発明の概要】
【発明が解決しようとする課題】
【０００４】
しかしながら、従来の移動通信システムでは、リレーノードＲＮ（Ｒｅｌａｙ  Ｎｏｄｅ）は、配下のセルの移動局ＵＥに対して「Ｂａｃｋｗａｒｄ  Ｃｏｍｐａｔｉｂｉｌｉｔｙ」を保証するために、ＭＢＳＦＮ（ＭＢＭＳ  ｏｖｅｒ  ａ  Ｓｉｎｇｌｅ  Ｆｒｅｑｕｅｎｃｙ  Ｎｅｔｗｏｒｋ）サブフレームを用いて、Ｕｎインターフェイスにおける送受信用サブフレームとＵｕインターフェイスにおける送受信用サブフレームとを時分割する必要がある。
【０００５】
そのため、リレーノードＲＮは、ＭＢＳＦＮサブフレーム中にしか、無線基地局ＤｅＮＢ（Ｄｏｎｏｒ  ｅＮＢ）からの下り信号を受信することができない。したがって、リレーノードＲＮは、無線基地局ＤｅＮＢによって送信される報知情報が変更された場合に、かかる報知情報をすぐに受信することができないという問題点があった。
【０００６】
そこで、本発明は、上述の課題に鑑みてなされたものであり、リレーノードが無線基地局によって送信された報知情報を確実に受信することができる移動通信システム及び無線基地局を提供することを目的とする。
【課題を解決するための手段】
【０００７】
本発明の第１の特徴は、第１インターフェイスを介して無線基地局とリレーノードとが接続可能であり、第２インターフェイスを介して該リレーノードと移動局とが接続可能である移動通信システムであって、前記リレーノードは、前記第１インターフェイスにおける送受信用期間と前記第２インターフェイスにおける送受信用期間とを時分割するように構成されており、前記無線基地局は、前記リレーノードに対して、個別シグナリングによって、配下のセルにおいて送信する報知情報を送信するように構成されていることを要旨とする。
【０００８】
本発明の第２の特徴は、第１インターフェイスを介して無線基地局とリレーノードとが接続可能であり、第２インターフェイスを介して該リレーノードと移動局とが接続可能である移動通信システムにおける該無線基地局であって、配下のセルにおいて、報知情報を送信するように構成されている報知情報送信部と、前記リレーノードに対して、個別シグナリングによって、前記報知情報を送信するように構成されている個別シグナリング部とを具備することを要旨とする。
【０００９】
本発明の第３の特徴は、第１インターフェイスを介して無線基地局とリレーノードとが接続可能であり、第２インターフェイスを介して該リレーノードと移動局とが接続可能である移動通信システムであって、前記リレーノードは、前記第１インターフェイスにおける送受信用期間と前記第２インターフェイスにおける送受信用期間とを時分割するように構成されており、前記無線基地局は、物理下り制御チャネルを介して移動局用識別情報及び第１スケジューリング信号を送信し、該第１スケジューリング信号によって指定された報知チャネルを介して報知情報を送信するように構成されており、前記無線基地局は、前記物理下り制御チャネルを介してリレーノード用識別情報及び第２スケジューリング信号を送信し、該第２スケジューリング信号によって指定された報知チャネルを介して前記報知情報を送信するように構成されていることを要旨とする。
【００１０】
本発明の第４の特徴は、第１インターフェイスを介して無線基地局とリレーノードとが接続可能であり、第２インターフェイスを介して該リレーノードと移動局とが接続可能である移動通信システムにおける該無線基地局であって、物理下り制御チャネルを介して移動局用識別情報及び第１スケジューリング信号を送信し、該第１スケジューリング信号によって指定された報知チャネルを介して報知情報を送信するように構成されている移動局用報知情報送信部と、前記物理下り制御チャネルを介してリレーノード用識別情報及び第２スケジューリング信号を送信し、該第２スケジューリング信号によって指定された報知チャネルを介して前記報知情報を送信するように構成されているリレーノード用報知情報送信部とを具備することを要旨とする。
【００１１】
本発明の第５の特徴は、第１インターフェイスを介して無線基地局とリレーノードとが接続可能であり、第２インターフェイスを介して該リレーノードと移動局とが接続可能である移動通信システムであって、前記リレーノードは、前記第１インターフェイスにおける送受信用期間と前記第２インターフェイスにおける送受信用期間とを時分割するように構成されており、前記無線基地局は、物理下り制御チャネルを介して第１スケジューリング信号を送信し、該第１スケジューリング信号によって指定された報知チャネルを介して報知情報を送信するように構成されており、前記無線基地局は、リレーノード専用物理下り制御チャネルを介して第２スケジューリング信号を送信し、該第２スケジューリング信号によって指定された報知チャネルを介して前記報知情報を送信するように構成されていることを要旨とする。
【００１２】
本発明の第６の特徴は、第１インターフェイスを介して無線基地局とリレーノードとが接続可能であり、第２インターフェイスを介して該リレーノードと移動局とが接続可能である移動通信システムにおける該無線基地局であって、物理下り制御チャネルを介して第１スケジューリング信号を送信し、該第１スケジューリング信号によって指定された報知チャネルを介して報知情報を送信するように構成されている移動局用報知情報送信部と、リレーノード専用物理下り制御チャネルを介して第２スケジューリング信号を送信し、該第２スケジューリング信号によって指定された報知チャネルを介して前記報知情報を送信するように構成されているリレーノード用報知情報送信部とを具備することを要旨とする。
【発明の効果】
【００１３】
以上説明したように、本発明によれば、リレーノードが無線基地局によって送信された報知情報を確実に受信することができる移動通信システム及び無線基地局を提供することができる。
【図面の簡単な説明】
【００１４】
【図１】本発明の第１の実施形態に係る移動通信システムの全体構成図である。
【図２】本発明の第２の実施形態に係るリレーノードの機能ブロック図である。
【図３】本発明の第１の実施形態に係る無線基地局の機能ブロック図である。
【図４】本発明の第２の実施形態に係る無線基地局の機能ブロック図である。
【図５】本発明の第２の実施形態に係る移動局による上り信号の送信タイミングの調整方法について説明するための図である。
【図６】本発明の第２の実施形態に係る移動局による上り信号の送信タイミングの調整方法について説明するための図である。
【発明を実施するための形態】
【００１５】
（本発明の第１の実施形態に係る移動通信システム）
図１乃至図３を参照して、本発明の第１の実施形態に係る移動通信システムについて説明する。
【００１６】
本実施形態に係る移動通信システムは、ＬＴＥ-Ａｄｖａｎｃｅｄ方式の移動通信システムであって、図１に示すように、無線基地局ＤｅＮＢと、リレーノードＲＮと、複数の移動局ＵＥとを具備している。
【００１７】
無線基地局ＤｅＮＢとリレーノードＲＮとの間は、Ｕｎインターフェイスによって接続されるように構成されており、リレーノードＲＮと各移動局ＵＥ＃１乃至＃３との間は、Ｕｕインターフェイスによって接続されるように構成されている。
【００１８】
図２に示すように、リレーノードＲＮは、受信部２１と、送信部２２とを具備している。
【００１９】
受信部２１は、Ｕｎインターフェイスにおける受信用サブフレームにおいて無線基地局ＤｅＮＢからの信号を受信し、Ｕｕインターフェイスにおける受信用サブフレームにおいて移動局ＵＥからの信号を受信するように構成されている。
【００２０】
なお、後述するように、受信部２１は、無線基地局ＤｅＮＢからの個別シグナリングを介して、無線基地局ＤｅＮＢ配下のセルにおいて送信される報知情報であるＳＩ（Ｓｙｓｔｅｍ  Ｉｎｆｏｒｍａｔｉｏｎ）を受信するように構成されている。
【００２１】
送信部２２は、Ｕｎインターフェイスにおける送信用サブフレームにおいて無線基地局ＤｅＮＢに対して信号を送信し、Ｕｕインターフェイスにおける送信用サブフレーム移動局ＵＥに対して信号を送信するように構成されている。
【００２２】
本実施形態に係る移動通信システムにおいて、リレーノードＲＮは、Ｕｎインターフェイスにおける送受信用サブフレームとＵｕインターフェイスにおける送受信用サブフレームとを時分割するように構成されている。
【００２３】
すなわち、リレーノードＲＮは、Ｕｕインターフェイスでは、ＭＢＳＦＮサブフレーム中にのみ、移動局ＵＥに対して信号を送信するように構成されている。
【００２４】
図３に示すように、無線基地局ＤｅＮＢは、報知情報送信部１と、個別シグナリング部２とを具備している。
【００２５】
報知情報送信部１は、配下のセルにおいて、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）等のＳＩ（Ｓｙｓｔｅｍ  Ｉｎｆｏｒｍａｔｉｏｎ）を送信するように構成されている。
【００２６】
具体的には、報知情報送信部１は、ＰＤＣＣＨ（Ｐｈｙｓｉｃａｌ  Ｄｏｗｎｌｉｎｋ  Ｃｏｎｔｒｏｌ  Ｃｈａｎｎｅｌ：物理下り制御チャネル）を介してＢＣＣＨ（Ｂｒｏａｄｃａｓｔ  Ｃｏｎｔｒｏｌ  Ｃｈａｎｎｅｌ：報知制御チャネル）-ＲＮＴＩ（Ｒａｄｉｏ  Ｎｅｔｗｏｒｋ  Ｔｅｍｐｏｒａｌｙ  Ｉｄｅｎｔｉｔｙ）及びスケジューリング信号を送信し、かかるスケジューリング信号によって指定されたＰＤＳＣＨ（Ｐｈｙｓｉｃａｌ  Ｄｏｗｎｌｉｎｋ  Ｓｈａｒｅｄ  Ｃｈａｎｎｅｌ：物理下り共通チャネル）にて送信されるＢＣＣＨを介して、ＳＩを送信するように構成されている。
【００２７】
個別シグナリング部２は、リレーノードＲＮに対して、個別シグナリングによって、かかるＳＩを送信するように構成されている。
【００２８】
具体的には、ＰＤＣＣＨ又は後述するＲＰＤＣＣＨを介して、リレーノードＲＮに個別に割当てられたＣ-ＲＮＴＩ（リレーノードＲＮ用であることから、ＲＮ-ＲＮＴＩと呼ばれてもよい）及びスケジューリング信号を送信し、かかるスケジューリング信号によって指定されたＰＤＳＣＨにて送信されるＤＣＣＨ（Ｄｅｄｉｃａｔｅｄ  Ｃｏｎｔｒｏｌ  Ｃｈａｎｎｅｌ：個別制御チャネル）を介して、かかるＳＩを送信するように構成されている。
【００２９】
本発明の第１の実施形態に係る移動通信システムによれば、ＭＢＳＦＮサブフレームのタイミングが異なる複数のリレーノードＲＮが存在する場合であっても、個別シグナリングによって、これらのリレーノードＲＮの各々に対して確実にＳＩを送信することができる。
（本発明の第２の実施形態に係る移動通信システム）
図１、図４及び図５を参照して、本発明の第２の実施形態に係る移動通信システムについて説明する。以下、本発明の第２の実施形態に係る移動通信システムについて、上述した本発明の第１の実施形態に係る移動通信システムとの相違点に着目して説明する。
【００３０】
図４に示すように、無線基地局ＤｅＮＢは、移動局用ＳＩ送信部１１と、リレーノード用ＳＩ送信部１２とを具備している。
【００３１】
移動局用ＳＩ送信部１１は、ＰＤＣＣＨを介してＢＣＣＨ-ＲＮＴＩ及びスケジューリング信号を送信し、かかるスケジューリング信号によって指定されたＰＤＳＣＨにて送信されるＢＣＣＨを介してＳＩを送信するように構成されている。
【００３２】
図５に、無線基地局ＤｅＮＢにおける送信用サブフレーム及びリレーノードＲＮにおける送信用サブフレームのタイミングについて示す。
【００３３】
本実施形態に係る移動通信システムでは、図５に示すように、無線基地局ＤｅＮＢにおける送信用サブフレームのタイミングとリレーノードＲＮにおける送信用サブフレームのタイミングとが所定数（例えば、１個）のシンボル分だけずれている。
【００３４】
ここで、移動局用ＳＩ送信部１１は、例えば、サブフレーム＃１/＃３/＃４において、ＰＤＣＣＨを介して、ＢＣＣＨ-ＲＮＴＩ及びスケジューリング信号を送信し、かかるスケジューリング信号によって指定されたＰＤＳＣＨ（Ｐｈｙｉｃａｌ  Ｄｏｗｎｌｉｎｋ  Ｓｈａｒｅｄ  Ｃｈａｎｎｅｌ）にマッピングされたＢＣＣＨを介してＳＩを送信するように構成されている。
【００３５】
リレーノード用ＳＩ送信部１２は、ＰＤＣＣＨを介してＲＮ-ｓｐｅｃｉｆｉｃ-ＢＣＣＨ-ＲＮＴＩ及びスケジューリング信号を送信し、かかるスケジューリング信号によって指定されたＰＤＳＣＨにマッピングされたＢＣＣＨを介してＳＩを送信するように構成されている。
【００３６】
ここで、リレーノード用ＳＩ送信部１２は、例えば、リレーノードＲＮにおいて信号の送信が行われていない期間（ＤＴＸ）中に対応するサブフレーム＃２において、ＰＤＣＣＨを介して、ＲＮ-ｓｐｅｃｉｆｉｃ-ＢＣＣＨ-ＲＮＴＩ及びスケジューリング信号を送信し、かかるスケジューリング信号によって指定されたＰＤＳＣＨにマッピングされたＢＣＣＨを介してＳＩを送信するように構成されている。
【００３７】
また、リレーノード用ＳＩ送信部１２は、周期的に、上述のＳＩを繰り返し送信するように構成されていてもよい。ここで、リレーノード用ＳＩ送信部１２は、各リレーノードＲＮにおけるＭＢＳＦＮサブフレームのタイミングを考慮して、全てのリレーノードＲＮにおいてＳＩが受信されるように、十分な回数、ＳＩを繰り返し送信するように構成されていてもよい。
【００３８】
さらに、リレーノード用ＳＩ送信部１２は、ＳＩが変更されたときに限らず、上述の方法で、ＳＩを送信するように構成されていてもよい。
【００３９】
なお、図５に示すように、移動局用ＳＩ送信部１１は、サブフレーム＃１の先頭の１シンボルにおいて、ＰＤＣＣＨ信号と共に、ＲＳ（Ｒｅｆｅｒｅｎｃｅ  Ｓｉｇｎａｌ）を送信するように構成されている。
【００４０】
同様に、リレーノード用ＳＩ送信部１２は、サブフレーム＃１Ａの先頭の１シンボルにおいて、ＰＤＣＣＨ信号と共に、ＲＳを送信するように構成されている。
【００４１】
本発明の第１の実施形態に係る移動通信システムによれば、移動局ＵＥは、今までどおり、ＢＣＣＨ-ＲＮＴＩを用いてＳＩを受信することができると共に、リレーノードＲＮは、ＲＮ-ｓｐｅｃｉｆｉｃ-ＢＣＣＨ-ＲＮＴＩを用いてＳＩを受信することができる。
【００４２】
したがって、無線基地局ＤｅＮＢは、個別シグナリングを用いることなく、複数のリレーノードＲＮに対して、ＳＩを送信することができる。
【００４３】
（変更例１）
図６を参照して、本発明の第２の実施形態に係る移動通信システムの変更例１について説明する。以下、本変更例１に係る移動通信システムについて、上述した本発明の第２の実施形態に係る移動通信システムとの相違点に着目して説明する。
【００４４】
本変更例１に係る移動通信システムでは、図６に示すように、無線基地局ＤｅＮＢにおける送信用サブフレームのタイミングとリレーノードＲＮにおける送信用サブフレームのタイミングとが一致している。
【００４５】
また、本変更例１に係る無線基地局ＤｅＮＢでは、本発明の第２の実施形態に係る無線基地局ＤｅＮＢの場合と同様に、移動局用ＳＩ送信部１１は、ＰＤＣＣＨを介してＢＣＣＨ-ＲＮＴＩ及びスケジューリング信号を送信し、かかるスケジューリング信号によって指定されたＰＤＳＣＨにマッピングされたＢＣＣＨを介してＳＩを送信するように構成されている。
【００４６】
ここで、移動局用ＳＩ送信部１１は、例えば、サブフレーム＃１/＃３/＃４において、ＰＤＣＣＨを介して、ＢＣＣＨ-ＲＮＴＩ及びスケジューリング信号を送信し、かかるスケジューリング信号によって指定されたＰＤＳＣＨにマッピングされたＢＣＣＨを介してＳＩを送信するように構成されている。
【００４７】
また、本変更例１に係る無線基地局ＤｅＮＢでは、リレーノード用ＳＩ送信部１２は、ＲＰＤＣＣＨ（ＲＮ-ｓｐｅｃｉｆｉｃ  ＰＤＣＣＨ）を介してスケジューリング信号を送信し、かかるスケジューリング信号によって指定されたＰＤＳＣＨにマッピングされたＢＣＣＨを介してＳＩを送信するように構成されている。
【００４８】
ＲＰＤＣＣＨは、リレーノードＲＮ用のＰＤＣＣＨで、リレーノードＲＮに対するスケジューリングを行うためのチャネルである。ＲＰＤＣＣＨ信号は、移動局ＵＥでは受信されない。
【００４９】
ここで、リレーノード用ＳＩ送信部１２は、例えば、リレーノードＲＮにおいて信号の送信が行われていない期間（ＤＴＸ）中に対応するサブフレーム＃２において、ＲＰＤＣＣＨを介して、ＢＣＣＨ-ＲＮＴＩ（又は、ＲＮ-ｓｐｅｃｉｆｉｃ-ＢＣＣＨ-ＲＮＴＩ）及びスケジューリング信号を送信し、かかるスケジューリング信号によって指定されたＰＤＳＣＨにマッピングされたＢＣＣＨを介してＳＩを送信するように構成されている。
【００５０】
なお、図６に示すように、ＲＰＤＣＣＨ用のリソースは、サブフレーム＃２において、ＰＤＳＣＨ用のリソースと同一のシンボル期間にマッピングされるように構成されている。
【００５１】
なお、以上の実施形態において、リレーノード用ＳＩ送信部１２は、変更が生じたパラメータのみを含む、部分的なＳＩのみを送信するように構成されていてもよい。
【００５２】
以上に述べた本実施形態の特徴は、以下のように表現されていてもよい。
【００５３】
本実施形態の第１の特徴は、Ｕｎインターフェイス（第１インターフェイス）を介して無線基地局ＤｅＮＢとリレーノードＲＮとが接続可能であり、Ｕｕインターフェイス（第２インターフェイス）を介してリレーノードＲＮと移動局ＵＥとが接続可能である移動通信システムであって、リレーノードＲＮは、Ｕｎインターフェイスにおける送受信用サブフレーム（期間）とＵｕインターフェイスにおける送受信用サブフレームとを時分割するように構成されており、無線基地局ＤｅＮＢは、リレーノードＲＮに対して、個別シグナリングによって、配下のセルにおいて送信するＳＩ（報知情報）を送信するように構成されていることを要旨とする。
【００５４】
本実施形態の第２の特徴は、Ｕｎインターフェイスを介して無線基地局ＤｅＮＢとリレーノードＲＮとが接続可能であり、Ｕｕインターフェイスを介してリレーノードＲＮと移動局ＵＥとが接続可能である移動通信システムにおける無線基地局ＤｅＮＢであって、配下のセルにおいて、ＳＩを送信するように構成されている報知情報送信部１と、リレーノードＲＮに対して、個別シグナリングによって、かかるＳＩを送信するように構成されている個別シグナリング部２とを具備することを要旨とする。
【００５５】
本実施形態の第３の特徴は、Ｕｎインターフェイスを介して無線基地局ＤｅＮＢとリレーノードＲＮとが接続可能であり、Ｕｕインターフェイスを介してリレーノードＲＮと移動局ＵＥとが接続可能である移動通信システムであって、リレーノードＲＮは、Ｕｎインターフェイスにおける送受信用サブフレームとＵｕインターフェイスにおける送受信用サブフレームとを時分割するように構成されており、無線基地局ＤｅＮＢは、ＰＤＣＣＨ（物理下り制御チャネル）を介してＢＣＣＨ-ＲＮＴＩ（移動局用識別情報）及び第１スケジューリング信号を送信し、第１スケジューリング信号によって指定されたＢＣＣＨ（報知チャネル）を介してＳＩ（報知情報）を送信するように構成されており、無線基地局ＤｅＮＢは、ＰＤＣＣＨを介してＲＮ-ｓｐｅｃｉｆｉｃ-ＢＣＣＨ-ＲＮＴＩ（リレーノード用識別情報）及び第２スケジューリング信号を送信し、第２スケジューリング信号によって指定されたＢＣＣＨを介してＳＩを送信するように構成されていることを要旨とする。
【００５６】
本実施形態の第４の特徴は、Ｕｎインターフェイスを介して無線基地局ＤｅＮＢとリレーノードＲＮとが接続可能であり、Ｕｕインターフェイスを介してリレーノードＲＮと移動局ＵＥとが接続可能である移動通信システムにおける無線基地局ＤｅＮＢであって、ＰＤＣＣＨを介してＢＣＣＨ-ＲＮＴＩ及び第１スケジューリング信号を送信し、第１スケジューリング信号によって指定されたＢＣＣＨを介してＳＩを送信するように構成されている移動局用ＳＩ送信部１１と、ＰＤＣＣＨを介してＲＮ-ｓｐｅｃｉｆｉｃ-ＢＣＣＨ-ＲＮＴＩ及び第２スケジューリング信号を送信し、第２スケジューリング信号によって指定されたＢＣＣＨを介してＳＩを送信するように構成されているリレーノード用ＳＩ送信部１２とを具備することを要旨とする。
【００５７】
本実施形態の第５の特徴は、Ｕｎインターフェイスを介して無線基地局ＤｅＮＢとリレーノードＲＮとが接続可能であり、Ｕｕインターフェイスを介してリレーノードＲＮと移動局ＵＥとが接続可能である移動通信システムであって、リレーノードＲＮは、Ｕｎインターフェイスにおける送受信用サブフレームとＵｕインターフェイスにおける送受信用サブフレームとを時分割するように構成されており、無線基地局ＤｅＮＢは、ＰＤＣＣＨを介して第１スケジューリング信号を送信し、第１スケジューリング信号によって指定されたＢＣＣＨを介してＳＩを送信するように構成されており、無線基地局ＤｅＮＢは、ＲＰＤＣＣＨ（リレーノード専用物理下り制御チャネル）を介して第２スケジューリング信号を送信し、第２スケジューリング信号によって指定されたＢＣＣＨを介してＳＩを送信するように構成されていることを要旨とする。
【００５８】
本実施形態の第６の特徴は、Ｕｎインターフェイスを介して無線基地局ＤｅＮＢとリレーノードＲＮとが接続可能であり、Ｕｕインターフェイスを介してリレーノードＲＮと移動局ＵＥとが接続可能である移動通信システムにおける無線基地局ＤｅＮＢであって、ＰＤＣＣＨを介して第１スケジューリング信号を送信し、第１スケジューリング信号によって指定されたＢＣＣＨを介してＳＩを送信するように構成されている移動局用ＳＩ送信部１１と、ＲＰＤＣＣＨを介して第２スケジューリング信号を送信し、第２スケジューリング信号によって指定されたＢＣＣＨを介してＳＩを送信するように構成されているリレーノード用ＳＩ送信部１２とを具備することを要旨とする。
【００５９】
なお、上述の移動局ＵＥや無線基地局ＤｅＮＢやリレーノードＲＮの動作は、ハードウェアによって実施されてもよいし、プロセッサによって実行されるソフトウェアモジュールによって実施されてもよいし、両者の組み合わせによって実施されてもよい。
【００６０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＤｅＮＢやリレーノードＲＮ内に設けられていてもよい。また、かかる記憶媒体及びプロセッサは、ディスクリートコンポーネントとして移動局ＵＥや無線基地局ＤｅＮＢやリレーノードＲＮ内に設けられていてもよい。
【００６２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６３】
ＤｅＮＢ…無線基地局
１…報知情報送信部
２…個別シグナリング部
１１…移動局用ＳＩ送信部
１２…リレーノード用ＳＩ送信部
ＲＮ…リレーノード
２１…受信部
２２…送信部
【図１】
2011217393.tif 000003
【図２】
2011217393.tif 000004
【図３】
2011217393.tif 000005
【図４】
2011217393.tif 000006
【図５】
2011217393.tif 000007
【図６】
2011217393.tif 000008